(57)【要約】【課題】本考案は、入浴者が安定姿勢で腰掛けることができる、浴室で使用する浴室用椅子を提供する。【解決手段】本考案の浴室用椅子は、安定して腰掛けることができる平坦な長方形の座面１と、該座面１の四隅に安定姿勢に支持することができるように垂設した脚部２と、前記座面１の長辺に一方端から所定長さ及び幅で両側に連結して設けられた補助挟み板３と、該補助挟み板３側の座面１の前端部中央に半円弧状に切り欠いた凹部４とを設けたものである。本発明の浴室用椅子は、座面１を長方形としたため、入浴者が前記補助挟み板３側の座面１に手を置いて身体を支えながら、座面１に腰掛け又は座面１から立ち上がる際に腰部への負担が少なくなると共に、補助挟み板３を設けたので前記補助挟み板３を両脚で挟みつけるようにして姿勢を保ち、身体の洗浄が容易となる。【選択図】図１
0003128331.tif 000002
【実用新案登録請求の範囲】
【請求項１】
安定して腰掛けることができる平坦な長方形の座面と、該座面の四隅に安定姿勢に支持することができるように垂設した脚部と、前記座面の長辺両側に一方端から所定長さ及び幅で連結して設けられた補助挟み板と、該補助挟み板側の座面の前端部中央に半円弧状に切り欠いた凹部とを設けたことを特徴とする浴室用椅子。
【請求項２】
洗面台の幅広い面と腰掛けの幅狭い面を前後方向に有する座面と、該座面の前端部中央に半円弧状に切り欠いた凹部と、前記座面の全周縁から下方に安定姿勢に支持することができるように一体に垂設した脚部とを設けたことを特徴とする浴室用椅子。
【請求項３】
前記座面は、表面に縦溝又は横溝を多数形成して水捌けを良くし、常に乾燥状態を保つように形成したことを特徴とする請求項１又は２記載の浴室用椅子。
【考案の詳細な説明】
【技術分野】
【０００１】
本考案は、入浴者が安定姿勢で腰掛けることができる、浴室で使用する浴室用椅子に関する。
【背景技術】
【０００２】
従来、浴室の洗い場の床面に直接腰を下ろさないで済むように洗い場に載置されて使用される、座面の周囲に側壁が垂設された浴室用椅子が一般的に知られている。
この公知技術では、座面の床面からの高さが低いと高齢者等が浴室用椅子に腰掛け、又は浴室用椅子から立ち上がる際の腰部への負担が大きくなると共に、身体を洗浄する際に腰部への負担が大きくなって、洗浄が困難となる。
また、座部の床面からの高さが高いと高齢者等が身体を洗浄する際に腰高の不安定な姿勢となって、洗浄が困難になるという問題がある。
そのため、高齢者等が浴室用椅子へ腰掛け、浴室用椅子から立ち上がり、浴室用椅子に腰掛けて身体を洗浄する動作を容易に行うことができる浴室用椅子が知られている（特許文献１を参照）。
この公知技術は、座面が上下２段に連設されており、上方の座面と下方の座面とがなだらかな傾斜面によって結合されている浴室用椅子である。
【特許文献１】特開平１０−２９５５７５号公報
【考案の開示】
【考案が解決しようとする課題】
【０００３】
本考案は、入浴者が安定姿勢で腰掛けることができる、浴室で使用する浴室用椅子を提供することを目的とする。
【課題を解決するための手段】
【０００４】
本考案の浴室用椅子は、安定して腰掛けることができる平坦な長方形の座面と、該座面の四隅に安定姿勢に支持することができるように垂設した脚部と、前記座面の長辺に一方端から所定長さ及び幅で両側に連結して設けられた補助挟み板と、該補助挟み板側の座面の前端部中央に半円弧状に切り欠いた凹部とを設けたものである。
本考案の浴室用椅子は、洗面台の幅広い面と腰掛けの幅狭い面を前後方向に有する座面と、該座面の前端部中央に半円弧状に切り欠いた凹部と、前記座面の全周縁から下方に安定姿勢に支持することができるように一体に垂設した脚部とを設けたものである。
前記座面は、表面に縦溝又は横溝を多数形成して水捌けを良くし、常に乾燥状態を保つように形成したものである。
【考案の効果】
【０００５】
本考案の浴室用椅子は、安定して腰掛けることができる平坦な座面としたため、入浴者が座面に手を置いて身体を支えて、浴室用椅子に腰掛け又は浴室用椅子から立ち上がる際の腰部への負担が少なくなると共に、座面の長辺両側に一方端から所定長さ及び幅で連結した補助挟み板を設けてあるので、両脚で前記補助挟み板を挟むようにして安定して座ることができる効果がある。
本考案の浴室用椅子は、洗面台の幅広い面と腰掛けの幅狭い面を前後方向に有する座面としたため、入浴者が幅広い面に手を置いて身体を支えて、浴室用椅子に腰掛け又は浴室用椅子から立ち上がる際の腰部への負担が少なくなると共に、幅広い面の周縁から下方に安定姿勢に支持することができるように一体に垂設した脚部を設けてあるので、両脚で前記脚部を挟むようにして安定して座ることができる効果がある。
表面に縦溝又は横溝を多数形成した座面は、水捌けを良くし、非使用時に乾燥状態を保つことができる。
【考案を実施するための最良の形態】
【０００６】
本考案の浴室用椅子の一実施例を添付図面に基づいて、以下に説明する。
図１の斜視図に示すように、本考案の浴室用椅子は、安定して腰掛けることができる平坦な長方形の座面１と、該座面１の四隅に安定姿勢に支持することができるように垂設した脚部２と、前記座面１の長辺に一方端から所定長さ及び幅で両側に連結して設けられた補助挟み板３と、該補助挟み板３側の座面１の前端部中央に半円弧状に切り欠いた凹部４とを設けたものである。
【０００７】
前記浴室用椅子の材質は、特に限定されず、肌触りが柔らかで、身体への接触時に冷たさを感じさせない天然木材のヒノキ、青森ヒバや高密度ポリエチレン、ポリプロピレン等の熱可塑性合成樹脂、繊維強化不飽和ポリエステル樹脂（ＦＲＰ）等があげられる。
【０００８】
図２の平面図に示すように、前記座面１は、安定して腰掛けることができる広さとして長辺６００ｍｍ×短辺２７０ｍｍであれば良く、ほぼ平坦に形成し、表面に縦溝又は横溝５を多数形成して水捌けを良くし、常に乾燥状態を保つように形成する。
【０００９】
図３の正面図に示すように、前記腰掛け脚部２は、各脚部の高さが３００ｍｍ程度に形成され、図１では４本の脚部としたが、これに限らず、周囲を囲む一体側壁としても良い。
【００１０】
前記補助挟み板３は、前記座面１の半分長さであれば良く、ほぼ平坦に形成し、表面には縦溝又は横溝６を多数形成して水捌けを良くし、常に乾燥状態を保つように形成する。
なお、前記補助挟み板３は、前記座面１とは異なる材料から形成し、前記座面１の長辺端面に接着剤で接着しても良い。
【００１１】
次に、本考案の浴室用椅子の使用動作を図面に基づいて、以下に説明する。
浴室用椅子に腰掛ける際には、浴室用椅子の補助挟み板３側を鏡台や給湯管の蛇口下方に位置するように配置し、両手を前記補助挟み板３側の座面１の上に置き、両手で身体を支えながら座面１を跨ぐようにして座面１に腰掛ける。
浴室用椅子の座面１に腰掛けたら、前記補助挟み板３を両脚で挟みつけるようにして姿勢を保ち、身体の洗浄を行う。
そして、身体の洗浄が終わったら、両手を前記補助挟み板３側の座面１の上に置き、前方に体重を乗せながら両手で身体を支えながら腰を上げ、楽に立ち上がることができる。
本発明の浴室用椅子は、座面１を長方形としたため、入浴者が前記補助挟み板３側の座面１に手を置いて身体を支えながら、座面１に腰掛け又は座面１から立ち上がる際に腰部への負担が少なくなると共に、補助挟み板３を設けたので前記補助挟み板３を両脚で挟みつけるようにして姿勢を保ち、身体の洗浄が容易となる。
なお、前記座面１の前端部中央の凹部４は、身体の下腹部を洗う際に、邪魔にならないように設けたものである。
【００１２】
本考案の浴室用椅子の他の実施例を添付図面に基づいて、以下に説明する。
図４の斜視図に示すように、本考案の浴室用椅子は、洗面台の幅広い面６と腰掛けの幅狭い面７を前後方向に有する平坦な座面１と、該座面１の前端部中央に半円弧状に切り欠いた凹部４と、前記座面１の周縁から下方に安定姿勢に支持することができるように一体に垂設した脚部２とを設けたものである。
図５の斜視図に示すように、洗面台の幅広い面６を腰掛けの幅狭い面７より高く形成した座面１とすることもできる。
【図面の簡単な説明】
【００１３】
【図１】本考案の浴室用椅子の斜視図である。
【図２】本考案の浴室用椅子の平面図である。
【図３】本考案の浴室用椅子の正面図である。
【図４】本考案の浴室用椅子の他の実施例の斜視図である。
【図５】本考案の浴室用椅子の他の実施例の斜視図である。
【符号の説明】
【００１４】
１  座面
２  腰掛け脚部
３  補助挟み板
４  凹部
５  縦溝又は横溝
６  幅広い面
７  幅狭い面
【図１】
0003128331.tif 000003
【図２】
0003128331.tif 000004
【図３】
0003128331.tif 000005
【図４】
0003128331.tif 000006
【図５】
0003128331.tif 000007